(57)【要約】【課題】付け替え用の包装袋を容易に交換することができ、また、付け替え用の包装袋に表示された内容物の情報を見ることのできるポンプディスペンサーと付け替え用包装袋とからなるリフィル容器、および、これに用いるホルダーとからなる包装体を提供する。【解決手段】繰り返して使用するポンプディスペンサー１０が、シリンダー１１と、シリンダー内に摺動自在に収容されたピストン１２と、シリンダーの下端より下方に伸びる吸引パイプ１３を備え、ポンプディスペンサーを付け替え用包装袋２０に取り付けたときに、吸引パイプの下端が包装袋の底に略接するように設けられ、ピストンを押し下げたときに、吸引パイプの下端が包装袋の底に当たって、吸引パイプがシリンダーを支えられるようになっている。また、ホルダーは、正面板と、天面板と、床面板とを有し、天面板にポンプディスペンサーを保持する保持部を備えている。【選択図】図３
2015042553.tif 000002
【特許請求の範囲】
【請求項１】
繰り返して使用するポンプディスペンサーと、該ポンプディスペンサーに付け替える付け替え用包装袋とからなるリフィル容器であって、
前記ポンプディスペンサーが、シリンダーと該シリンダー内に摺動自在に収容されたピストンと、前記シリンダーの下端より下方に伸び、前記包装袋の内容物を前記シリンダー内に導く吸引パイプを備え、前記ピストンの上部に注出ノズルを備え、前記ピストンを押し下げたときに、シリンダー内に充填された内容物を注出ノズルより吐出するようにした構造であり、
前記ポンプディスペンサーを前記付け替え用包装袋に取り付けたときに、前記吸引パイプの下端が前記付け替え用包装袋の底に略接するように設けられ、前記ピストンを押し下げたときに、前記吸引パイプの下端が前記付け替え用包装袋の底に当たって、前記吸引パイプが前記シリンダーを支えられることを特徴とするポンプディスペンサーと付け替え用包装袋とからなるリフィル容器。
【請求項２】
前記付け替え用包装袋が底ガゼット部を有する自立性包装袋であることを特徴とする請求項１に記載のポンプディスペンサーと付け替え用包装袋とからなるリフィル容器。
【請求項３】
請求項１または２に記載のポンプディスペンサーと付け替え用包装袋とからなるリフィル容器と、該リフィル容器を保持するためのホルダーとからなることを特徴とする包装体。
【請求項４】
前記ホルダーが、正面板と、該正面板の上端から水平方向に伸びる天面板と、前記正面板の下端から伸び、前記天面板に対向する床面板とを有し、前記天面板に前記ポンプディスペンサーまたは前記付け替え用包装袋を保持する保持部を備えていることを特徴とする請求項３に記載の包装体。
【請求項５】
前記保持部が前記天面板に設けられた切り欠き部で、前記付け替え用包装袋のスパウトに設けられた鍔部で前記切り欠き部の周囲を挟んで保持することを特徴とする請求項４に記載の包装体。
【発明の詳細な説明】
【技術分野】
【０００１】
本発明は、ポンプディスペンサーと付け替え用包装袋のセット、および、これに用いるホルダーとからなる包装体に関するものである。詳しくは、液体の内容物を詰め替えるのではなく、内容物を収納した包装袋に、繰り返し使用するポンプディスペンサーを取り付けて使うためのポンプディスペンサーと付け替え用包装袋とからなるリフィル容器、および、ポンプディスペンサーを包装袋に取り付けた状態で保持するホルダーとからなる包装体に関するものである。
【背景技術】
【０００２】
シャンプー、リンス、食器洗い用洗剤などの液体の内容物を、ポンプで適量排出して使用するポンプディスペンサー付き成形容器が、広く用いられている。そして、近年では資源の節約からポンプディスペンサー付き成形容器の中に液体の内容物がなくなっても容器を廃棄せずに、詰め替え専用の包装袋に充填されている内容物を空になったポンプディスペンサー付き成形容器に詰め替え、ポンプディスペンサー付き成形容器を何回も再使用することが行われている。
【０００３】
このように、包装袋から成形容器に液体の内容物を詰め替えるのは、成形容器の口が細いことや包装袋にコシがないことから、こぼしやすく入れづらいという問題があり、異型パウチと呼ばれる注出口の形状を色々工夫した包装袋が使用されてきた。
【０００４】
このように、詰め替えやすい包装袋を用いても、詰め替えるということ自体、手間がかかる。そのため、より簡単に補充することが求められ、内容物の入った包装袋や、紙容器ごと付け替えて使用することが考えられるようになった。
【０００５】
例えば、カートリッジのポンプディスペンサーなどのキャップとカートリッジ収容体の蓋材と内容物を収容しているピロー包装やスタンディングパウチなどの形態に製袋されたカートリッジ及びカートリッジ収容体とからなるリフィル性容器であって、カートリッジ収容体の蓋材の貫通孔よりカートリッジの注出口部を突出させてカートリッジ収容体の蓋材とカートリッジの注出口部との係合によって、カートリッジの注出口部をカートリッジ収容体の蓋材に固定し、そして、カートリッジをカートリッジ収容体の蓋材に懸垂状態のままカートリッジ収容体に挿着するものがあった（特許文献１）。
【０００６】
また、天面がフラットな液体用紙容器と、その紙容器を開口して収納する注出ポンプ付き外容器とからなり、前記紙容器には、シール用シートによって密封された開口部を備え、外容器の天面には、紙容器の開口部に嵌挿される弾性を有する注出口部材を突設した詰め替え容器があった（特許文献２）。
【０００７】
特許文献１のリフィル性容器や特許文献２の詰め替え容器は、付け替え用の容器包装を取り付ける外容器が、付け替え用の容器包装を包み込むようになっていて、付け替え用の容器包装に記載された内容物の情報が外から見ることができなかった。また、外容器の着脱に際しての作業性が悪く面倒であった。
【０００８】
公知文献を以下に示す。
【先行技術文献】
【特許文献】
【０００９】
【特許文献１】実開平５−７５１６３号公報
【特許文献２】実開平６−２７６５４号公報
【発明の概要】
【発明が解決しようとする課題】
【００１０】
本発明は上記のような事情に鑑みてなされたもので、付け替え用の包装袋を容易に交換することができ、また、付け替え用の包装袋に表示された内容物の情報を見ることのできるポンプディスペンサーと付け替え用包装袋とからなるリフィル容器、および、これに用いるホルダーとからなる包装体を提供することを課題とする。
【課題を解決するための手段】
【００１１】
上記の課題を解決するための手段として、請求項１の発明は、繰り返して使用するポンプディスペンサーと、該ポンプディスペンサーに付け替える付け替え用包装袋とからなるリフィル容器であって、
前記ポンプディスペンサーが、シリンダーと該シリンダー内に摺動自在に収容されたピストンと、前記シリンダーの下端より下方に伸び、前記包装袋の内容物を前記シリンダー内に導く吸引パイプを備え、前記ピストンの上部に注出ノズルを備え、前記ピストンを押し下げたときに、シリンダー内に充填された内容物を注出ノズルより吐出するようにした構造であり、
前記ポンプディスペンサーを前記付け替え用包装袋に取り付けたときに、前記吸引パイプの下端が前記付け替え用包装袋の底に略接するように設けられ、前記ピストンを押し下げたときに、前記吸引パイプの下端が前記付け替え用包装袋の底に当たって、前記吸引パイプが前記シリンダーを支えられることを特徴とするポンプディスペンサーと付け替え用包装袋とからなるリフィル容器である。
【００１２】
本発明のポンプディスペンサーと付け替え用包装袋とからなるリフィル容器は、以上のような構成であって、ポンプディスペンサーを付け替え用包装袋に取り付ければ、内容物を吐出するために、ピストンを押し下げたときに、吸引パイプの下端が付け替え用包装袋の底に当たって、吸引パイプがシリンダーを支えることができるので、付け替え用包装袋がつぶれることなく、内容物を吐出することができる。
【００１３】
また、ポンプディスペンサーを付け替え用の包装袋に付けるだけであるので、付け替え用の包装を容易に交換することができる。そして、付け替え用の包装袋に表示された内容物の情報を見ることができる。
【００１４】
また、請求項２に記載の発明は、前記付け替え用包装袋が底ガゼット部を有する自立性包装袋であることを特徴とする請求項１に記載のポンプディスペンサーと付け替え用包装袋とからなるリフィル容器である。
【００１５】
本発明は、付け替え用包装袋が底ガゼット部を有する自立性包装袋であるので、ほかに支えるものがなくても、底ガゼット部で安定して自立させることができ、置いておくのにも便利であり、内容物を吐出するときも、付け替え用包装袋を支えることなく、片手で吐出することができる。
【００１６】
本発明の請求項３の発明は、請求項１または２に記載のポンプディスペンサーと付け替え用包装袋とからなるリフィル容器と、該リフィル容器を保持するためのホルダーとからなることを特徴とする包装体である。
【００１７】
本発明は、リフィル容器と、該リフィル容器を保持するためのホルダーとからなっているので、そのまま置いておいても安定していて、片手でポンプディスペンサーを押し下げ
て、内容物を吐出するときも安定して行うことができる。
【００１８】
本発明の請求項４の発明は、前記ホルダーが、正面板と、該正面板の上端から水平方向に伸びる天面板と、前記正面板の下端から伸び、前記天面板に対向する床面板とを有し、前記天面板に前記ポンプディスペンサーまたは前記付け替え用包装袋を保持する保持部を備えていることを特徴とする請求項３に記載の包装体である。
【００１９】
本発明の包装体は、以上のような構成で、ホルダーの背面側があいているので、ポンプディスペンサーを取り付けた付け替え用包装袋を入れるのが容易にでき、また、天面板の保持部で、ポンプディスペンサーまたは付け替え用包装袋を容易に保持させることができる。このため付け替え用の包装袋を容易に交換することができる。また、付け替え用の包装袋に表示された内容物の情報を見ることができる。
【００２０】
本発明の請求項５の発明は、前記保持部が前記天面板に設けられた切り欠き部で、前記付け替え用包装袋のスパウトに設けられた鍔部で前記切り欠き部の周囲を挟んで保持することを特徴とする請求項４に記載の包装体である。
【００２１】
本発明は、保持部が天面板に設けられた切り欠き部で、付け替え用包装袋のスパウトに設けられた鍔部で切り欠き部の周囲を挟んで保持するので、簡単に差し込んで挟ませ保持させることができる。
【発明の効果】
【００２２】
本発明のポンプディスペンサーと付け替え用包装袋とからなるリフィル容器、および、リフィル容器を保持するためのホルダーとからなる包装体を用いれば、付け替え用の包装袋を容易に交換することができる。
【００２３】
また、付け替え用の包装袋に表示された内容物の情報を見ることができる。更には、リフィル容器や、包装体を安定して自立させることができ、置いておくのにも便利であり、内容物を吐出するときも、付け替え用包装袋を支えることなく、片手で吐出することができる。
【図面の簡単な説明】
【００２４】
【図１】本発明のポンプディスペンサーの一例を模式的に斜視で示した説明図である。
【図２】本発明の付け替え用包装袋の一例を模式的に斜視で示した説明図である。
【図３】本発明のポンプディスペンサーを付け替え用包装袋に取り付けた状態の一例を模式的に斜視で示した説明図である。
【図４】本発明のホルダーの一例を模式的に斜視で示した説明図である。
【図５】本発明のホルダーの一例を模式的に平面で示した説明図である。
【図６】本発明のポンプディスペンサーを付け替え用包装袋に取り付けてホルダーで保持した状態の一例を模式的に斜視で示した説明図である。
【図７】本発明のポンプディスペンサーを付け替え用包装袋に取り付けてホルダーで保持した状態の一例を模式的に背面側から見た説明図である。
【図８】本発明のホルダーの他の例を模式的に斜視で示した説明図である。
【図９】本発明のポンプディスペンサーを付け替え用包装袋に取り付けてホルダーで保持した状態の他の例を模式的に斜視で示した説明図である。
【図１０】本発明のポンプディスペンサーを付け替え用包装袋に取り付けてホルダーで保持した状態の他の例を模式的に背面側から見た説明図である。
【発明を実施するための形態】
【００２５】
以下、本発明を実施するための形態につき説明する。
図１は、本発明のポンプディスペンサーの一例を模式的に斜視で示した説明図である。図２は、本発明の付け替え用包装袋の一例を模式的に斜視で示した説明図である。図３は、本発明のポンプディスペンサーを付け替え用包装袋に取り付けた状態の一例を模式的に斜視で示した説明図である。
【００２６】
本例のポンプディスペンサー１０は、図１の斜視図に示すように、シリンダー１１と、シリンダー１１に摺動自在に内装されたピストン１２と、シリンダー１１の下端より下方に伸び、内容物をシリンダー１１内に導く吸引パイプ１３が設けられている。
【００２７】
また、ピストン１２の上部には、ピストン１１に設けられた流路を通った内容物が注ぎ出される注出ノズル１４が設けられている。シリンダー１１の上端部分には、付け替え用包装袋２０に取り付けるための内面に雌螺子が設けられたキャップ部１５が設けられている。
【００２８】
本例の付け替え用包装袋２０は、図２の斜視図に示すように、左右にサイドガゼット部２１と底ガゼット部を有する角底ガゼット袋の自立性包装袋になっている。本例では、角底ガゼット袋にしたが、これにこだわることなく、４方シール袋やピロー包装袋あるいは、サイドガゼット袋など他の形状の包装袋でも良いし、また、底ガゼット部を有し底シール部を船底型にしたスタンディングパウチ型の自立性包装袋にしても良い。
【００２９】
但し、角底ガゼット袋や、底ガゼット部を有し底シール部を船底型にしたスタンディングパウチなどの底ガゼット部を有する自立性包装袋にすれば、底ガゼット部で安定して自立させることができ、置いておくのにも便利であり、内容物を吐出するときも、付け替え用包装袋を支えることなく、片手で吐出することができ、使い勝手が良い。
【００３０】
袋の上端部は、表裏のフィルム２２が、左右両サイド部のガゼット部２１およびスパウト２３の台座部分を挟み込んで融着されている。スパウト２３は、付け替え用包装袋２０から内容物を取り出す取出し口で、スパウト２３の上部の外面には、ポンプディスペンサー１０を取り付けるための、雄螺子２４が設けられている。そして、スパウト２３の台座部分と雄螺子２４の間には鍔部２５が設けられている。
【００３１】
また、付け替え用包装袋２０の流通販売時には、内容物がこぼれないように嵌められて、ポンプディスペンサー１０を取り付けるときに外される捨てキャップ２６がスパウト２３に別途付けられている。
【００３２】
付け替え用包装袋２０に、ポンプディスペンサー１０を取り付けるには、捨てキャップ２６を付け替え用包装袋２０から外して、付け替え用包装袋２０のスパウト２３の上部の外面の雄螺子２４に、ポンプディスペンサー１０のシリンダー１１の上端部分に設けられたキャップ部１５の内面の雌螺子を螺合させて、図３のように、取り付ける。
【００３３】
このように、ポンプディスペンサー１０を付け替え用包装袋２０に取り付けると、ポンプディスペンサー１０の吸引パイプ１３の下端が付け替え用包装袋２０の底に略届くようになる。
【００３４】
このため、ピストン１１を上から押し下げたときに、付け替え用包装袋２０は潰れようとするが、吸引パイプ１３の下端が付け替え用包装袋２０の底の底ガゼット部２７に当たって、吸引パイプ１３がシリンダー１１を支えて、付け替え用包装袋２０はそれ以上潰れずに、内容物を吸い上げて、注出ノズル１４より注ぎ出すことができる。
【００３５】
また、ポンプディスペンサー１０を付け替え用の装袋２０に付けるだけであるので、付
け替え用の包装を容易に交換することができる。そして、付け替え用包装袋２０に表示された内容物の情報を見ることができる。
【００３６】
図４は、本発明のホルダーの一例を模式的に斜視で示した説明図、図５は、本発明のホルダーの一例を模式的に平面で示した説明図、図６は、本発明のポンプディスペンサーを付け替え用包装袋に取り付けてホルダーで保持した状態の一例を模式的に斜視で示した説明図、図７は、本発明のポンプディスペンサーを付け替え用包装袋に取り付けてホルダーで保持した状態の一例を模式的に背面側から見た説明図である。
【００３７】
本例のホルダー３０は、図４の斜視図、図５の正面図に示すように、１つの正面板３１と、正面板３１の上端から水平方向に伸びる天面板３２と、正面板３１の下端から伸び、天面板３２に対向する床面板３３とからなっている。
【００３８】
そして、天面板３２には、ポンプディスペンサー１０が取り付けられた付け替え用包装袋２０を保持する保持部３４が設けられている。本例では保持部３４は切り欠きで設けられていて、図６、図７のように、付け替え用包装袋２０の鍔部２５で、保持部３４の切り欠きの周囲を挟み込むようにして保持するようになっている。
【００３９】
図５ののように、保持部３４の先端両側には、スリットと突起からなるロック爪３４ａ、３４ａが設けられ、付け替え用包装袋２０の鍔部２５が、差し込まれたホルダー３０の保持部３４から簡単には外れないようになっている。
【００４０】
また、本例では、底面板３３の先端部には、上方に立ち上がった係止部３５が設けられている。これによって、ポンプディスペンサー１０が取り付けられた付け替え用包装袋２０の下端がホルダー３０から外れてしまわない様になっている。
【００４１】
このように、ホルダー３０は背面側があいているので、ポンプディスペンサー１０を取り付けた付け替え用包装袋２０を入れることが容易にでき、また、天面板３２の保持部３４で、付け替え用包装袋２０を容易に保持させることができる。このため付け替え用の包装袋を容易に交換することができる。また、付け替え用の包装袋２０に表示された内容物の情報を見ることができる。
【００４２】
尚、本例では、天面板３２の保持部３４で、付け替え用包装袋２０を保持させるようになっているが、ポンプディスペンサー１０のキャップ部１５やその上か下に鍔部を設けて、保持部３４の切り欠きの周囲を挟み込むようにして保持するようにしてもよい。
【００４３】
また、本例では、側面側が空いているので、内容量を増やすために付け替え用包装袋２０の幅を広げても、側面側にぶつかることがなく、付け替え用包装袋２０の容量の変更を容易に行うことができる。
【００４４】
図８は、本発明のホルダーの他の例を模式的に斜視で示した説明図、図９は、本発明のポンプディスペンサーを付け替え用包装袋に取り付けてホルダーで保持した状態の他の例を模式的に斜視で示した説明図、図１０は、本発明のポンプディスペンサーを付け替え用包装袋に取り付けてホルダーで保持した状態の他の例を模式的に背面側から見た説明図である。
【００４５】
本例のホルダー４０は、図８の斜視図に示すように、ホルダー３０と同様に、１つの正面板４１と、正面板４１の上端から水平方向に伸びる天面板４２と、正面板４１の下端から伸び、天面板４２に対向する床面板４３とからなっている。
【００４６】
そして、天面板４２には、ポンプディスペンサー１０が取り付けられた付け替え用包装袋２０を保持する保持部４４が設けられている。本例では保持部４４は切り欠きで設けられていて、図９、図１０のように、付け替え用包装袋２０の鍔部２５で、保持部４４の切り欠きの周囲を挟み込むようにして保持するようになっている。
【００４７】
また、本例では、底面板４３の先端部には、上方に立ち上がった係止部４５が設けられている。これによって、ポンプディスペンサー１０が取り付けられた付け替え用包装袋２０の下端がホルダー４０から外れてしまわない様になっている。
【００４８】
そして、本例のホルダー４０では、正面板４１と床面板４３に接続して、右側面板４６ａと左側面板４６ｂが設けられている。右側面板４６ａと左側面板４６ｂの端部側は、正面板４１側に大きく、えぐれるように湾曲している。
【００４９】
本例のホルダー４０では、右側面板４６ａと左側面板４６ｂを設けているので、ホルダー４０を横に傾けても、保持されたポンプディスペンサー１０を取り付けた付け替え用包装袋２０が床面板４３から外れてしまうことがない。
【００５０】
また上記のように、ホルダー４０は背面側があいているので、ポンプディスペンサー１０を取り付けた付け替え用包装袋２０を入れることが容易にでき、また、天面板４２の保持部４４で、付け替え用包装袋２０を容易に保持させることができる。このため付け替え用の包装袋を容易に交換することができる。また、付け替え用の包装袋２０に表示された内容物の情報を見ることができる。
【００５１】
また、右側面板４６ａと左側面板４６ｂが、その端部側をえぐれるように湾曲していて形成されていることも、ポンプディスペンサー１０を取り付けた付け替え用包装袋２０を、ホルダー４０に入れることを容易にしている。
【００５２】
尚、本例では、天面板４２の保持部４４で、付け替え用包装袋２０を保持させるようになっているが、ポンプディスペンサー１０のキャップ部１５やその上か下に鍔部を設けて、保持部４４の切り欠きの周囲を挟み込むようにして保持するようにしてもよい。
【００５３】
ホルダー３０、４０は、金属でできていても良いが、高分子化合物でできているのが好ましい。特に合成樹脂製であることが好ましい。熱可塑性樹脂でも良いし、熱硬化性樹脂であっても良い。また、ペットボトルの再生樹脂を使用すると環境にもやさしい。ある程度腰が強くて、使用上あまり曲がらない素材であれば特にこだわらない。
【００５４】
ピストン１２を押し下げたときの押圧力は、吸引パイプ１３の下端が付け替え用包装袋の底に当たって、分散されるので、ホルダー３０は強固にする必要がなく、筒状にしたり、肉厚を熱くしたりする必要がない。このため、樹脂の使用量を削減することができる。
【００５５】
また、着色された素材を用いても良いが、透明な素材を用いることもできる。透明な素材を用いることで、正面板３１を通して付け替え用包装袋２０に記載された情報を見ることができれば、付け替え用包装袋２０の表側が表品名をホルダー正面板側にして、見やすくし、且つ、裏側の成分表示なども見ることができるようになる。
【００５６】
以上のように、本発明のポンプディスペンサーと付け替え用包装袋のセット、および、これに用いるホルダーを用いれば、付け替え用の包装袋を容易に交換することができ、また、付け替え用の包装袋に表示された内容物の情報を見ることができる。
【符号の説明】
【００５７】
１０・・・ポンプディスペンサー
１１・・・シリンダー
１２・・・ピストン
１３・・・吸引パイプ
１４・・・注出ノズル
１５・・・キャップ部
２０・・・付け替え用包装袋
２１・・・サイドガゼット部
２２・・・表裏のフィルム
２３・・・スパウト
２４・・・雄螺子
２５・・・鍔部
２６・・・捨てキャップ
２７・・・底ガゼット部
３０、４０・・・ホルダー
３１、４１・・・正面板
３２、４２・・・天面板
３３、４３・・・床面板
３４、４４・・・保持部
３４ａ、３４ａ・・・ロック爪
３５、４５・・・係止部
４６ａ・・・右側面板
４６ｂ・・・左側面板
【図１】
2015042553.tif 000003
【図２】
2015042553.tif 000004
【図３】
2015042553.tif 000005
【図４】
2015042553.tif 000006
【図５】
2015042553.tif 000007
【図６】
2015042553.tif 000008
【図７】
2015042553.tif 000009
【図８】
2015042553.tif 000010
【図９】
2015042553.tif 000011
【図１０】
2015042553.tif 000012